(57)【要約】【課題】ユーザが本暖房運転開始時刻の前に活動したとしても、ユーザが寒さを感じないように室内温度を高くすることができる技術を提供する。【解決手段】制御手段が、プレ暖房運転が開始されるプレ暖房運転開始時刻になると第１暖房態様で暖房を開始し、プレ暖房運転開始時刻と本暖房運転開始時刻の間にユーザが活動したことを活動検知手段が検知すると、温度検知手段によって検知される室内温度が所定の基準室内温度以上である場合は、第１暖房態様を継続し、前記温度検知手段によって検知される室内温度が所定の基準室内温度未満である場合は、前記第１暖房態様から第２暖房態様に切り替える。【選択図】図４
2019049383.tif 000002
【特許請求の範囲】
【請求項１】
自然環境から吸熱して熱媒を加熱するヒートポンプと、
燃料の燃焼によって熱媒を加熱する補助熱源機と、
熱媒の熱によって室内を暖房する暖房機と、
室内温度を検知する温度検知手段と、
ユーザが活動したことを検知する活動検知手段と、
制御手段を備えており、
前記ヒートポンプのみで加熱した熱媒の熱によって前記暖房機が室内を暖房する第１暖房態様と、前記ヒートポンプと前記補助熱源機の両方で加熱した熱媒の熱によって、または、前記ヒートポンプより加熱能力が大きい前記補助熱源機のみで加熱した熱媒の熱によって前記暖房機が室内を暖房する第２暖房態様で暖房が可能であり、
プレ暖房運転および本暖房運転を実行するように構成されており、
前記プレ暖房運転は、前記本暖房運転が開始される本暖房運転開始時刻より前の所定のプレ暖房運転開始時刻になると開始され、前記温度検知手段によって検知される室内温度が本暖房運転開始時刻に所定の目標暖房温度になるように前記暖房機が室内を暖房する運転であり、
前記本暖房運転は、前記温度検知手段によって検知される室内温度が所定の目標暖房温度になるように前記暖房機が室内を暖房する運転であり、
前記制御手段が、プレ暖房運転開始時刻になると前記第１暖房態様による前記プレ暖房運転を実行し、プレ暖房運転開始時刻と本暖房運転開始時刻の間にユーザが活動したことを前記活動検知手段が検知すると、前記温度検知手段によって検知される室内温度が所定の基準室内温度以上である場合は、前記第１暖房態様を継続し、前記温度検知手段によって検知される室内温度が所定の基準室内温度未満である場合は、前記第１暖房態様から前記第２暖房態様に切り替える、暖房システム。
【請求項２】
前記活動検知手段が、寝ているユーザが起床したことを検知することによってユーザが活動したことを検知する起床検知手段であって、
前記制御手段が、過去にユーザが起床したことを前記起床検知手段が検知した時刻に基づいて起床予想時刻を演算し、演算した起床予想時刻を本暖房運転開始時刻とする、請求項１に記載の暖房システム。
【請求項３】
前記制御手段が、本暖房運転開始時刻になると前記第１暖房態様による前記本暖房運転を実行し、本暖房運転開始時刻より後にユーザが活動したことを前記活動検知手段が検知すると、前記温度検知手段によって検知される室内温度が所定の基準室内温度以上である場合は、前記第１暖房態様を継続し、前記温度検知手段によって検知される室内温度が所定の基準室内温度未満である場合は、前記第１暖房態様から前記第２暖房態様に切り替える、請求項１または２に記載の暖房システム。
【請求項４】
前記制御手段が、前記第２暖房態様で暖房を行っている際に、前記温度検知手段によって検知される室内温度が所定の基準室内温度以上になった場合は、前記第２暖房態様から前記第１暖房態様に切り替える、請求項１から３のいずれか一項に記載の暖房システム。
【請求項５】
前記制御手段が、本暖房運転開始時刻におけるユーザの宅外の予想外気温度が所定の基準外気温度未満である場合は、前記プレ暖房運転を実行した後に前記本暖房運転を実行し、予想外気温度が所定の基準外気温度以上である場合は、前記プレ暖房運転を実行することなく前記本暖房運転を実行する、請求項１から４のいずれか一項に記載の暖房システム。
【発明の詳細な説明】
【技術分野】
【０００１】
本明細書で開示する技術は、暖房システムに関する。
【背景技術】
【０００２】
特許文献１に開示されている暖房システムは、自然環境から吸熱して熱媒を加熱するヒートポンプと、室内温度を検知する温度検知手段と、制御手段を備えている。この暖房システムでは、ヒートポンプで加熱した熱媒の熱によって室内を暖房する。また、この暖房システムは、プレ暖房運転および本暖房運転を実行するように構成されている。プレ暖房運転は、本暖房運転が開始される予定の本暖房運転開始時刻より前の所定のプレ暖房運転開始時刻になると開始される。プレ暖房運転は、温度検知手段によって検知される室内温度が本暖房運転開始時刻に所定の目標暖房温度になるように室内を暖房する運転である。
【先行技術文献】
【特許文献】
【０００３】
【特許文献１】特開平６−４２７６５号公報
【発明の概要】
【発明が解決しようとする課題】
【０００４】
暖房システムによって暖房される室内では暖房システムのユーザが生活しており、そのユーザが室内で寝起きすることがある。この場合に、室内で寝ているユーザが本暖房運転開始時刻の前に起床することがある。プレ暖房運転では、本暖房運転開始時刻に所定の目標暖房温度になるように室内を暖房しているから、ユーザが起床した時点で室内温度はいまだ目標暖房温度に到達しておらず、起床したユーザが寒さを感じてしまうことがある。あるいは、別の部屋で寝ていたユーザが本暖房運転開始時刻の前に起床して暖房されている室内に移動したときに、室内温度がいまだ目標暖房温度に到達しておらず、ユーザが寒さを感じてしまうことがある。また、外出していたユーザが本暖房運転開始時刻の前に帰宅することがある。この場合に、ユーザが帰宅した時点で室内温度がいまだ目標暖房温度に到達しておらず、帰宅したユーザが寒さを感じてしまうことがある。そこで本明細書では、ユーザが本暖房運転開始時刻の前に活動したとしても、ユーザが寒さを感じないように室内温度を高くすることができる技術を提供する。
【課題を解決するための手段】
【０００５】
本明細書に開示する暖房システムは、自然環境から吸熱して熱媒を加熱するヒートポンプと、燃料の燃焼によって熱媒を加熱する補助熱源機と、熱媒の熱によって室内を暖房する暖房機と、室内温度を検知する温度検知手段と、ユーザが活動したことを検知する活動検知手段と、制御手段を備えている。この暖房システムでは、前記ヒートポンプのみで加熱した熱媒の熱によって前記暖房機が室内を暖房する第１暖房態様と、前記ヒートポンプと前記補助熱源機の両方で加熱した熱媒の熱によって、または、前記ヒートポンプより加熱能力が大きい前記補助熱源機のみで加熱した熱媒の熱によって前記暖房機が室内を暖房する第２暖房態様で暖房が可能であり、プレ暖房運転および本暖房運転を実行するように構成されている。前記プレ暖房運転は、前記本暖房運転が開始される本暖房運転開始時刻より前の所定のプレ暖房運転開始時刻になると開始され、前記温度検知手段によって検知される室内温度が本暖房運転開始時刻に所定の目標暖房温度になるように前記暖房機が室内を暖房する運転である。前記本暖房運転は、前記温度検知手段によって検知される室内温度が所定の目標暖房温度になるように前記暖房機が室内を暖房する運転である。前記制御手段が、プレ暖房運転開始時刻になると前記第１暖房態様による前記プレ暖房運転を実行し、プレ暖房運転開始時刻と本暖房運転開始時刻の間にユーザが活動したことを前記活動検知手段が検知すると、前記温度検知手段によって検知される室内温度が所定の基準室内温度以上である場合は、前記第１暖房態様を継続し、前記温度検知手段によって検知される室内温度が所定の基準室内温度未満である場合は、前記第１暖房態様から前記第２暖房態様に切り替える。
【０００６】
プレ暖房運転と本暖房運転を実行する暖房システムでは、プレ暖房運転を実行することによって、本暖房運転開始時刻より前に室内を暖房することができる。しかしながら、本暖房運転開始時刻より前では、室内がまだ十分に暖房されておらず、室内温度がそれほど高くない可能性がある。上記の暖房システムによれば、ユーザが本暖房運転開始時刻より前に活動した場合、室内温度が所定の基準室内温度未満である場合は、第１暖房態様から第２暖房態様に切り替える。これによって、ヒートポンプと補助熱源機の両方で熱媒を加熱することができ、室内を暖房するための熱量を多くすることができる。または、ヒートポンプよりも加熱能力が大きい補助熱源機の場合には、加熱能力の大きな補助熱源機のみで熱媒を加熱することができ、室内を暖房するための熱量を多くすることができる。そのため、ユーザが本暖房運転開始時刻の前に活動したとしても、ユーザが寒さを感じないように室内温度を高くすることができる。また、室内温度が所定の基準室内温度以上である場合は、室内が既に十分に暖房されているので、第１暖房態様を継続しても活動したユーザが寒さを感じるおそれは少ない。この場合は、第１暖房態様を継続することによって、ヒートポンプのみで熱媒を加熱することができ、エネルギー効率を高くすることができる。
【０００７】
また、上記の暖房システムにおいて、前記活動検知手段が、寝ているユーザが起床したことを検知することによってユーザが活動したことを検知する起床検知手段であってもよい。また、前記制御手段が、過去にユーザが起床したことを前記起床検知手段が検知した時刻に基づいて起床予想時刻を演算し、演算した起床予想時刻を本暖房運転開始時刻としてもよい。
【０００８】
この構成によれば、起床予想時刻（本暖房運転開始時刻）に向けて室内を暖房することができるので、起床したユーザが寒さを感じないようにすることができる。
【０００９】
また、上記の暖房システムにおいて、前記制御手段が、本暖房運転開始時刻になると前記第１暖房態様による前記本暖房運転を実行し、本暖房運転開始時刻より後にユーザが活動したことを前記活動検知手段が検知すると、前記温度検知手段によって検知される室内温度が所定の基準室内温度以上である場合は、前記第１暖房態様を継続し、前記温度検知手段によって検知される室内温度が所定の基準室内温度未満である場合は、前記第１暖房態様から前記第２暖房態様に切り替える。
【００１０】
例えば、外気温度が予想以上に低くなった場合には、プレ暖房運転においてヒートポンプの加熱能力が不足してしまい、本暖房運転開始時刻になっても、室内温度が目標暖房温度まで到達しない場合がある。このような場合でも、ユーザがいまだ活動していない状況であれば、第１暖房態様を継続して、エネルギー効率を高めることが好ましい。その後に、ユーザが本暖房運転開始時刻より後に活動した場合、室内温度が所定の基準室内温度未満である場合は、第１暖房態様から第２暖房態様に切り替えることで、ユーザが寒さを感じないように室内温度を高くすることができる。また、ユーザが活動した時の室内温度が所定の基準室内温度以上である場合は、第１暖房態様を継続することによって、エネルギー効率を高くすることができる。
【００１１】
また、上記の暖房システムにおいて、前記制御手段が、前記第２暖房態様で暖房を行っている際に、前記温度検知手段によって検知される室内温度が所定の基準室内温度以上になった場合は、前記第２暖房態様から前記第１暖房態様に切り替える。
【００１２】
この構成によれば、第２暖房態様での暖房によって室内が十分に暖まった後には、第２暖房態様から第１暖房態様に切り替えることによって、エネルギー効率を高くすることができる。
【００１３】
また、上記の暖房システムにおいて、前記制御手段が、本暖房運転開始時刻におけるユーザの宅外の予想外気温度が所定の基準外気温度未満である場合は、前記プレ暖房運転を実行した後に前記本暖房運転を実行し、予想外気温度が所定の基準外気温度以上である場合は、前記プレ暖房運転を実行することなく前記本暖房運転を実行する。
【００１４】
本暖房運転開始時刻におけるユーザの宅外の予想外気温度が所定の基準外気温度未満である場合は、室内温度が低いと予想される。この場合は、プレ暖房運転によって室内を暖房することが望ましい。したがって、この場合にプレ暖房運転を実行した後、本暖房運転を実行することによって、活動したユーザが寒さを感じないようにすることができる。一方、予想外気温度が所定の基準外気温度以上である場合は、室内温度がそれほど低くないことが予想されるので、プレ暖房運転によって室内を暖房する必要性が低くなる。よって、この場合はプレ暖房運転を実行することなく、本暖房運転を実行することによって、エネルギー消費を抑制することができる。
【図面の簡単な説明】
【００１５】
【図１】実施例に係る暖房システムの構成を模式的に示す図である。
【図２】実施例に係る暖房装置の構成を模式的に示す図である。
【図３】実施例に係る暖房運転処理を示すフローチャートである。
【図４】実施例に係る暖房運転処理を示すフローチャートである。
【図５】実施例に係る暖房システムによって実現される具体的なケース１を説明する図である。
【図６】実施例に係る暖房システムによって実現される具体的なケース２を説明する図である。
【図７】実施例に係る暖房システムによって実現される具体的なケース３を説明する図である。
【発明を実施するための形態】
【００１６】
実施例に係る暖房システム２について図面を参照して説明する。図１に示すように、実施例に係る暖房システム２は、暖房装置２１と、サーバ５１（制御手段の一例）を備えている。暖房装置２１とサーバ５１は、インターネット１０１を介して接続されている。
【００１７】
暖房装置２１は、暖房システム２のユーザの自宅９１に設置されている。暖房装置２１は、自宅９１の室内９２を暖房する装置である。図２に示すように、暖房装置２１は、主に、ヒートポンプユニット４と、燃焼ユニット６（補助熱源機の一例）と、暖房端末８と、分配弁１０と、コントローラ１２を備えている。暖房装置２１は、熱媒（例えば水または不凍液）を、ヒートポンプユニット４、燃焼ユニット６、および暖房端末８の間で循環させつつ、ヒートポンプユニット４および／または燃焼ユニット６で熱媒を加熱し、暖房端末８で熱媒から放熱することで、暖房端末８が設置された室内９２（図１参照）を暖房する。暖房端末８は、例えば床暖房機、浴室乾燥暖房機、ファンコンベクタなどの、熱媒からの放熱によって暖房する暖房機である。
【００１８】
ヒートポンプユニット４は、第１熱媒加熱路１４に介装されている。第１熱媒加熱路１４の下流端は、第２熱媒加熱路１６の上流端に接続している。燃焼ユニット６は、第２熱媒加熱路１６に介装されている。第２熱媒加熱路１６の下流端は、熱媒放熱路１８の上流端に接続している。暖房端末８は、熱媒放熱路１８に介装されている。熱媒放熱路１８の下流端は、第１熱媒加熱路１４の上流端に接続している。また、第１熱媒加熱路１４と並列に、第１熱媒バイパス路２０が設けられている。第１熱媒バイパス路２０の上流端は、熱媒放熱路１８の下流端に接続している。第１熱媒バイパス路２０の下流端は、第２熱媒加熱路１６の上流端に接続している。分配弁１０は、熱媒放熱路１８の下流端と、第１熱媒加熱路１４の上流端と、第１熱媒バイパス路２０の上流端の接続箇所に介装されている。分配弁１０は、電動式三方弁の一種であり、熱媒放熱路１８から第１熱媒加熱路１４へ流れる熱媒の流量と、熱媒放熱路１８から第１熱媒バイパス路２０へ流れる熱媒の流量の割合を調整可能である。
【００１９】
ヒートポンプユニット４は、自然環境から吸熱して熱媒を加熱する。ヒートポンプユニット４は、冷媒（例えば、Ｒ４１０ＡといったＨＦＣ冷媒や、Ｒ７４４といったＣＯ２冷媒）を循環させるための冷媒循環路６２と、蒸発器６４と、送風ファン６６と、圧縮機６８と、凝縮器３０と、膨張弁３２を備えている。
【００２０】
蒸発器６４は、送風ファン６６によって送風された空気と冷媒循環路６２内の冷媒との間で熱交換を行う、気液熱交換器である。蒸発器６４には、膨張弁３２を通過後の低圧低温の液体状態にある冷媒が供給される。蒸発器６４は、冷媒と空気とを熱交換させることによって、冷媒を加熱する。冷媒は、加熱されることにより気化し、比較的高温で低圧の気体状態となる。
【００２１】
圧縮機６８は、蒸発器６４を通過後の比較的高温で低圧の気体状態の冷媒を加圧する。圧縮機６８によって冷媒が圧縮されることにより、冷媒は高温高圧の気体状態となる。圧縮機６８は、圧縮後の高温高圧の気体状態の冷媒を、凝縮器３０に送り出す。
【００２２】
凝縮器３０には、圧縮機６８から送り出された高温高圧の気体状態の冷媒が供給される。凝縮器３０は、冷媒循環路６２内の冷媒と第１熱媒加熱路１４内の熱媒との間で熱交換を行なう、液液熱交換器である。冷媒は、凝縮器３０での熱交換の結果、熱を奪われて凝縮する。これにより、冷媒は、比較的低温で高圧の液体状態となる。
【００２３】
膨張弁３２には、凝縮器３０を通過後の比較的低温で高圧の液体状態の冷媒が供給される。冷媒は、膨張弁３２を通過することによって減圧され、低温低圧の液体状態となる。すなわち、膨張弁３２は凝縮器３０からの冷媒を減圧する減圧機構として機能する。膨張弁３２を通過した冷媒は、上記の通り、蒸発器６４に送られる。
【００２４】
ヒートポンプユニット４において、送風ファン６６を駆動させ、かつ圧縮機６８を駆動させると、冷媒循環路６２内の冷媒は、蒸発器６４、圧縮機６８、凝縮器３０、膨張弁３２の順に循環し、蒸発器６４において自然環境から冷媒へ吸熱するとともに、凝縮器３０において冷媒から熱媒へ放熱する。すなわち、ヒートポンプユニット４は、凝縮器３０における冷媒との熱交換によって熱媒を加熱する。
【００２５】
燃焼ユニット６は、熱媒循環ポンプ３４と、ガス燃焼器３６を備えている。熱媒循環ポンプ３４は、第２熱媒加熱路１６に介装されている。ガス燃焼器３６は、ケーシング３８と、バーナ４０と、送風ファン４２を備えている。バーナ４０は、ケーシング３８の内部に収容されている。バーナ４０は、都市ガスやプロパンガス等の燃料ガスを燃焼させて、燃焼ガスを生成する。ケーシング３８の内部の第２熱媒加熱路１６には、内部を流れる熱媒と外部を流れる燃焼ガスとの間で熱交換する熱交換器１６ａが設けられている。送風ファン４２は、ケーシング３８の内部に燃焼用の空気を送り込むとともに、ケーシング３８の内部から燃焼排ガスを排出する。図示はしていないが、燃焼ユニット６はさらに、バーナ４０に点火するイグナイタ、バーナ４０へ燃料ガスを供給する燃料供給路を開閉する開閉弁、バーナ４０へ燃料ガスを供給する燃料供給路の開度を調整する流量調整弁等を備えている。第２熱媒加熱路１６には、燃焼ユニット６に流入する熱媒の温度を検出する熱媒温度センサ４４が取り付けられている。
【００２６】
コントローラ１２は、暖房装置２１のヒートポンプユニット４、燃焼ユニット６、分配弁１０等の各種の構成要素の動作を制御する。
【００２７】
暖房装置２１は、第１暖房運転と第２暖房運転を実行可能である。第１暖房運転は、ヒートポンプユニット４のみで加熱した熱媒の熱によって暖房端末８が室内９２を暖房する運転である。第２暖房運転は、ヒートポンプユニット４と燃焼ユニット６の両方で加熱した熱媒の熱によって暖房端末８が室内９２を暖房する運転である。
【００２８】
また、暖房装置２１は、プレ暖房運転と本暖房運転を実行可能である。プレ暖房運転は、本暖房運転より前に暖房端末８が室内９２を暖房する運転である。プレ暖房運転は、本暖房運転が開始される本暖房運転開始時刻より前の所定のプレ暖房運転開始時刻になると開始される運転である。本暖房運転は、プレ暖房運転より後に暖房端末８が室内９２を暖房する運転である。本暖房運転は、プレ暖房運転が開始されるプレ暖房運転開始時刻より後の所定の本暖房運転開始時刻になると開始される運転である。また、後述するように、本暖房運転開始時刻にならなくても、ユーザの起床が検知されると、本暖房運転が開始されることがある。プレ暖房運転が先に実行され、その後に本暖房運転が実行される。また、プレ暖房運転は、後述する温度センサ２４（図１参照）によって検知される室内温度が本暖房運転開始時刻に所定の目標暖房温度になるように暖房端末８が室内９２を暖房する運転である。暖房目標温度は、暖房装置２１がプレ暖房運転または本暖房運転を実行するときにその暖房運転において到達目標とする室内９２の温度である。目標暖房温度は、例えば２０℃である。目標暖房温度は、例えばユーザによって設定される。なお、暖房装置２１は、プレ暖房運転と本暖房運転の他に、給湯運転を実行可能な構成であってもよい。
【００２９】
図１に示すように、暖房装置２１は、リモコン２２とホームゲートウェイ２３を介してインターネット１０１に接続されている。暖房装置２１とリモコン２２とホームゲートウェイ２３は、ユーザの室内９２に配置されている。リモコン２２は、暖房装置２１のコントローラ１２に接続されている。リモコン２２は、暖房装置２１に関する各種の設定を行うことができる装置である。例えば、リモコン２２によって暖房目標温度を設定することができる。ホームゲートウェイ２３は、リモコン２２とインターネット１０１の間の通信を中継する装置である。
【００３０】
ユーザの自宅９１の室内９２には、更に、温度センサ２４（温度検知手段の一例）と人感センサ２５（活動検知手段の一例（起床検知手段の一例））とＨＥＭＳコントローラ２６が配置されている。温度センサ２４と人感センサ２５は、ＨＥＭＳコントローラ２６とホームゲートウェイ２３を介してインターネット１０１に接続されている。
【００３１】
温度センサ２４は、ユーザの室内９２の温度を検知する装置である。温度センサ２４がユーザの室内９２の温度を検知すると、その温度を示す情報が温度センサ２４からインターネット１０１を介してサーバ５１に送信される。
【００３２】
人感センサ２５は、人（例えば暖房システム２のユーザ）を感知する装置である。人感センサ２５は、室内９２で寝ている人（ユーザ）が起床したことを検知することができる。例えば、人感センサ２５が所定時間以上にわたって人（ユーザ）を感知した場合は、室内９２にいる人（ユーザ）が起床している。人感センサ２５が人（ユーザ）を感知した場合は、そのことを示す情報が人感センサ２５からインターネット１０１を介してサーバ５１に送信される。人感センサ２５は、例えばユーザが寝ているベッドの隣に配置されており、ユーザが起床したときに、そのユーザを感知する。人感センサ２５は、ユーザが起床したことを検知することによって、人（ユーザ）が活動したことを検知することができる。ユーザが起床していない場合は、ユーザが活動していないと判断することができる。
【００３３】
ＨＥＭＳコントローラ２６は、温度センサ２４と人感センサ２５に関する各種の設定を行うことができる装置である。また、ＨＥＭＳコントローラ２６は、室内９２で使用されるエネルギーの管理を行うこともできる。
【００３４】
サーバ５１は、各種の情報処理を実行する。サーバ５１が実行する情報処理については後述する。
【００３５】
次に、暖房システム２で実行される暖房運転処理について説明する。図３に示すように、暖房運転処理のステップＳ１１では、サーバ５１が、過去のデータに基づいて起床予想時刻を演算する。起床予想時刻は、ユーザが起床すると予想される時刻である。起床予想時刻は、例えば午前７：００である。サーバ５１は、過去にユーザが起床した時刻に基づいて起床予想時刻を演算する。ユーザが起床した時刻に関する過去のデータはサーバ５１に記憶されている。例えば、過去の複数日にわたるユーザの起床時刻の平均が午前７：００である場合は、サーバ５１が、起床予想時刻を午前７：００とする。
【００３６】
続いてステップＳ１２では、サーバ５１が、本暖房運転開始時刻を設定する。本暖房運転開始時刻は、本暖房運転が開始される予定の時刻である。サーバ５１は、上記のステップＳ１１で演算した起床予想時刻（例えば午前７：００）を本暖房運転開始時刻として設定する。
【００３７】
続いてステップＳ１３では、サーバ５１が、予想外気温度情報を取得する。予想外気温度情報は、ユーザの自宅９１の宅外の予想外気温度を示す情報である。サーバ５１は、本暖房運転開始時刻における予想外気温度情報を取得する。サーバ５１は、インターネット１０１を介して予想外気温度情報を取得する。または、サーバ５１は、過去の外気温度に基づいて予想外気温度を演算し、自らが演算した予想外気温度を示す予想外気温度情報を有していてもよい。
【００３８】
続いてステップＳ１４では、サーバ５１が、上記のステップＳ１３で取得した予想外気温度情報が示す予想外気温度が、基準外気温度未満であるか否かを判断する。予想外気温度情報が示す予想外気温度は、例えば８℃である。基準外気温度は、例えば１０℃である。予想外気温度が基準外気温度未満である場合は、ステップＳ１４でサーバ５１がＹＥＳと判断してステップＳ１５に進む。一方、予想外気温度が基準外気温度未満でない場合は、サーバ５１がＮＯと判断してステップＳ４１に進む。
【００３９】
ステップＳ１４でＮＯと判断した後のステップＳ４１では、サーバ５１が、上記のステップＳ１２で設定した本暖房運転開始時刻（例えば午前７：００）が到来したか否かを判断する。本暖房運転開始時刻が到来した場合は、ステップＳ４１でサーバ５１がＹＥＳと判断して後述するステップＳ２２に進む。一方、本暖房運転開始時刻が到来していない場合は、サーバ５１がＮＯと判断して待機する。
【００４０】
上記のステップＳ１４でＹＥＳと判断した後のステップＳ１５では、サーバ５１が、プレ暖房運転開始時刻を設定する。プレ暖房運転開始時刻は、プレ暖房運転が開始される予定の時刻である。プレ暖房運転開始時刻は、上記のステップＳ１２で設定した本暖房運転開始時刻（すなわち、起床予想時刻）よりも所定時間前の時刻である。所定時間は、例えば３０分である。プレ暖房運転開始時刻は、例えば午前６：３０である。サーバ５１は、例えばユーザの自宅９１の構造、予想外気温度、暖房装置２１の暖房能力等に基づいてプレ暖房運転開始時刻を演算して設定してもよい。
【００４１】
続いてステップＳ１６では、サーバ５１が、上記のステップＳ１５で設定したプレ暖房運転開始時刻（例えば午前６：３０）が到来したか否かを判断する。プレ暖房運転開始時刻が到来した場合は、ステップＳ１６でサーバ５１がＹＥＳと判断してステップＳ１７に進む。一方、プレ暖房運転開始時刻が到来していない場合は、サーバ５１がＮＯと判断して待機する。
【００４２】
続いてステップＳ１７では、サーバ５１が、暖房装置２１にプレ暖房運転を開始するように指示する。サーバ５１は、第１暖房運転でプレ暖房運転を実行するように暖房装置２１に指示する。サーバ５１は、インターネット１０１を介して暖房装置２１にプレ暖房運転の開始指示情報を送信する。暖房装置２１は、プレ暖房運転の開始指示情報を受信すると、第１暖房運転によるプレ暖房運転を開始する。プレ暖房運転は、本暖房運転開始時刻に室内９２の温度が所定の目標暖房温度になるように室内９２を暖房する運転である。
【００４３】
続いてステップＳ１８では、サーバ５１が、プレ暖房運転における暖房強度を調節するように暖房装置２１に指示する。サーバ５１は、インターネット１０１を介して暖房装置２１に暖房強度の調節指示情報を送信する。暖房装置２１は、暖房強度の調節指示情報を受信すると暖房強度を調節する。暖房装置２１は、本暖房運転開始時刻（例えば午前７：００）に室内９２の温度が所定の目標暖房温度になるように暖房強度を調節する。暖房装置２１は、ヒートポンプユニット４の動作を制御して暖房強度を調節する。プレ暖房運転における暖房強度は、例えば、現在の室内９２の温度と目標暖房温度との温度差と、現在から本暖房運転開始時刻までの時間とに基づいて調節される。
【００４４】
続いてステップＳ１９では、サーバ５１が、上記のステップＳ１２で設定した本暖房運転開始時刻（例えば午前７：００）が到来したか否かを判断する。本暖房運転開始時刻が到来した場合は、ステップＳ１９でサーバ５１がＹＥＳと判断してステップＳ２１に進む。一方、プレ暖房運転開始時刻が到来していない場合は、サーバ５１がＮＯと判断してＡ（図４に示すステップＳ３１）に進む。
【００４５】
図４に示すように、ステップＳ１９でＮＯと判断した後のステップＳ３１では、サーバ５１が、ユーザの自宅９１の室内９２で寝ているユーザが起床したか否かを判断する。例えば、ユーザの室内９２に配置されている人感センサ２５が所定時間にわたってユーザを感知した場合は、ユーザが起床したと判断することができる。ユーザが起床した場合は、ステップＳ３１でサーバ５１がＹＥＳと判断してステップＳ３２に進む。一方、ユーザが起床していない場合は、サーバ５１がＮＯと判断してＢ（図３に示すステップＳ１９）に戻る。
【００４６】
続いてステップＳ３２では、サーバ５１が、暖房装置２１にプレ暖房運転を終了するように指示する。サーバ５１は、インターネット１０１を介して暖房装置２１にプレ暖房運転の終了指示情報を送信する。暖房装置２１は、プレ暖房運転の終了指示情報を受信するとプレ暖房運転を終了する。
【００４７】
続いてステップＳ３３では、サーバ５１が、検知室内温度が基準室内温度未満であるか否かを判断する。検知室内温度は、室内９２に配置されている温度センサ２４によって検知された室内９２の温度である。基準室内温度は、室内９２で寝ているユーザが寒さを不快に感じる程度の温度である。基準室内温度は、例えば１５℃である。検知室内温度が基準室内温度未満である場合は、ステップＳ３３でサーバ５１がＹＥＳと判断してステップＳ３４に進む。一方、検知室内温度が基準室内温度未満でない場合は、サーバ５１がＮＯと判断してステップＳ３５に進む。
【００４８】
続いてステップＳ３４では、サーバ５１が、暖房装置２１に第２暖房運転を開始するように指示する。サーバ５１は、インターネット１０１を介して暖房装置２１に第２暖房運転の開始指示情報を送信する。暖房装置２１は、第２暖房運転の開始指示情報を受信すると第２暖房運転を開始する。第２暖房運転は、ヒートポンプユニット４と燃焼ユニット６の両方で加熱した熱媒の熱によって暖房端末８が室内９２を暖房する運転である。ここでの第２暖房運転は、本暖房運転として実行される。本暖房運転は、室内９２の温度が所定の目標暖房温度になるように室内９２を暖房する運転である。暖房装置２１は、第１暖房運転によるプレ暖房運転を実行している場合は、第２暖房運転による本暖房運転に切り替える。
【００４９】
一方、上記のステップＳ３３でＮＯと判断した後のステップＳ３５では、サーバ５１が、暖房装置２１に第１暖房運転を開始するように指示する。サーバ５１は、インターネット１０１を介して暖房装置２１に第１暖房運転の開始指示情報を送信する。暖房装置２１は、第１暖房運転の開始指示情報を受信すると第１暖房運転を開始する。第１暖房運転は、ヒートポンプユニット４のみで加熱した熱媒の熱によって暖房端末８が室内９２を暖房する運転である。ここでの第１暖房運転は、本暖房運転として実行される。暖房装置２１は、第１暖房運転によるプレ暖房運転を実行していた場合は、第１暖房運転を継続したまま本暖房運転を実行する。
【００５０】
続いてステップＳ３６では、サーバ５１が、第１暖房運転または第２暖房運転における暖房強度を調節するように暖房装置２１に指示する。サーバ５１は、インターネット１０１を介して暖房装置２１に暖房強度の調節指示情報を送信する。暖房装置２１は、暖房強度の調節指示情報を受信すると本暖房運転（上記の第１暖房運転または第２暖房運転）における暖房強度を調節する。本暖房運転における暖房強度は、例えば現在の室内９２の温度と目標暖房温度との温度差に基づいて調節される。
【００５１】
サーバ５１は、ステップＳ３６の処理が終了した後にステップ３３に戻る。あるいは、暖房装置２１の電源がＯＦＦになった場合は、暖房運転処理を終了してもよい。
【００５２】
図３に示すように、上記のステップＳ１９でＹＥＳと判断した後のステップＳ２１では、サーバ５１が、暖房装置２１にプレ暖房運転を終了するように指示する。サーバ５１は、インターネット１０１を介して暖房装置２１にプレ暖房運転の終了指示情報を送信する。暖房装置２１は、プレ暖房運転の終了指示情報を受信するとプレ暖房運転を終了する。
【００５３】
続いてステップＳ２２では、サーバ５１が、暖房装置２１に本暖房運転を開始するように指示する。サーバ５１は、第１暖房運転で本暖房運転を実行するように暖房装置２１に指示する。サーバ５１は、インターネット１０１を介して暖房装置２１に本暖房運転の開始指示情報を送信する。暖房装置２１は、本暖房運転の開始指示情報を受信すると本暖房運転を開始する。暖房装置２１は、第１暖房運転による本暖房運転を開始する。暖房装置２１は、第１暖房運転によるプレ暖房運転を実行していた場合は、第１暖房運転を継続したまま本暖房運転を実行する。
【００５４】
続いてステップＳ２３では、サーバ５１が、本暖房運転における暖房強度を調節するように暖房装置２１に指示する。サーバ５１は、インターネット１０１を介して暖房装置２１に暖房強度の調節指示情報を送信する。暖房装置２１は、暖房強度の調節指示情報を受信すると暖房強度を調節する。
【００５５】
続いてステップＳ２４では、サーバ５１が、ユーザの自宅９１の室内９２で寝ているユーザが起床したか否かを判断する。例えば、ユーザの室内９２に配置されている人感センサ２５が所定時間にわたってユーザを感知した場合は、ユーザが起床したと判断することができる。ユーザが起床した場合は、ステップＳ２４でサーバ５１がＹＥＳと判断してＤ（図４に示すステップＳ３３）に進む。一方、ユーザが起床していない場合は、サーバ５１がＮＯと判断してステップＳ２３に戻る。
【００５６】
上記の暖房運転処理は、暖房装置２１の電源がオフになるとリセットされる。あるいは、所定の時刻（例えば午前８：００）が到来すると上記の暖房運転処理がリセットされる。以上、暖房システム２で実行される暖房運転処理について説明した。
【００５７】
次に、上記の暖房システム２によって実現される具体的なケースの一例について説明する。  
【００５８】
（ケース１：図５）
ケース１では、予想外気温度が基準外気温度未満である場合に（ステップＳ１４でＹＥＳ）、プレ暖房運転開始時刻が到来すると（ステップＳ１６でＹＥＳ）、サーバ５１が、暖房装置２１にプレ暖房運転を開始するように指示する（ステップＳ１７）。暖房装置２１は、プレ暖房運転の開始指示情報を受信するとプレ暖房運転を開始する。図５に示すように、プレ暖房運転開始時刻（例えば６：３０）が到来すると第１暖房運転によるプレ暖房運転が開始される。
【００５９】
その後、本暖房運転開始時刻が到来する前（プレ暖房運転開始時刻と本暖房運転開始時刻の間）に、室内９２で寝ているユーザが起床した場合は（ステップＳ１９でＮＯ、ステップＳ３１でＹＥＳ）、サーバ５１が、暖房装置２１にプレ暖房運転を終了するように指示する（ステップＳ３２）。また、この場合に、検知室内温度が基準室内温度未満である場合は（ステップＳ３３でＹＥＳ）、サーバ５１が、暖房装置２１に第１暖房運転に替えて第２暖房運転を開始するように指示する（ステップＳ３４）。暖房装置２１は、第２暖房運転の開始指示情報を受信すると第２暖房運転を開始する。図５に示すように、本暖房運転開始時刻（例えば午前７：００）が到来する前（例えば午前６：４５）にユーザが起床すると第２暖房運転が開始される。ここでの第２暖房運転は、本暖房運転として実行される。
【００６０】
その後、検知室内温度が基準室内温度未満でない場合は（ステップＳ３３でＮＯ）、サーバ５１が、暖房装置２１に第２暖房運転に替えて第１暖房運転を開始するように指示する（ステップＳ３５）。暖房装置２１は、第１暖房運転の開始指示情報を受信すると第１暖房運転を開始する。図５に示すように、第２暖房運転の後に第１暖房運転が開始される。ここでの第１暖房運転は、本暖房運転として実行される。
【００６１】
（ケース２：図６）
図６に示すように、ケース２では、上記のケース１と同様に、プレ暖房運転開始時刻（例えば６：３０）が到来すると第１暖房運転によるプレ暖房運転が開始される。
【００６２】
その後、本暖房運転開始時刻が到来する前（プレ暖房運転開始時刻と本暖房運転開始時刻の間）に、室内９２で寝ているユーザが起床した場合は（ステップＳ１９でＮＯ、ステップＳ３１でＹＥＳ）、サーバ５１が、暖房装置２１にプレ暖房運転を終了するように指示する（ステップＳ３２）。また、この場合に、検知室内温度が基準室内温度未満でない場合は（ステップＳ３３でＮＯ）、サーバ５１が、暖房装置２１に第１暖房運転を開始するように指示する（ステップＳ３５）。暖房装置２１は、第１暖房運転の開始指示情報を受信すると第１暖房運転を開始する。図５に示すように、本暖房運転開始時刻（例えば午前７：００）が到来する前（例えば午前６：３０）にユーザが起床したとしても第１暖房運転が継続される。ここでの第１暖房運転は、本暖房運転として実行される。
【００６３】
（ケース３：図７）
図７に示すように、ケース３では、上記のケース１及びケース２と同様に、プレ暖房運転開始時刻（例えば６：３０）が到来すると第１暖房運転によるプレ暖房運転が開始される。
【００６４】
プレ暖房運転は、室内９２の温度が本暖房運転開始時刻に目標暖房温度になるように室内９２を暖房する運転である。しかしながら、例えば外気温度が予想以上に低くなった場合には、プレ暖房運転においてヒートポンプユニット４の加熱能力が不足してしまい、本暖房運転開始時刻になっても室内９２の温度が目標暖房温度まで到達しない場合がある。このような場合でも、ユーザが起床していない場合は、エネルギー効率を高めるために、第２暖房運転に切り替えずに第１暖房運転を継続することが好ましい。そこで、本暖房運転開始時刻が到来すると（ステップＳ１９でＹＥＳ）、サーバ５１が、暖房装置２１に本暖房運転を開始するように指示する（ステップＳ２２）。暖房装置２１は、本暖房運転の開始指示情報を受信すると本暖房運転を開始する。図７に示すように、本暖房運転開始時刻（例えば７：００）が到来すると第１暖房運転による本暖房運転が開始される。
【００６５】
その後、室内９２で寝ているユーザが起床した場合に（ステップＳ２４でＹＥＳ）、検知室内温度が基準室内温度未満である場合は（ステップＳ３３でＹＥＳ）、サーバ５１が、暖房装置２１に第１暖房運転に替えて第２暖房運転を開始するように指示する（ステップＳ３４）。暖房装置２１は、第２暖房運転の開始指示情報を受信すると第２暖房運転を開始する。図７に示すように、本暖房運転開始時刻（例えば午前７：００）が到来した後（例えば午前７：１０）にユーザが起床すると第２暖房運転が開始される。
【００６６】
その後、検知室内温度が基準室内温度未満でない場合は（ステップＳ３３でＮＯ）、サーバ５１が、暖房装置２１に第２暖房運転に替えて第１暖房運転を開始するように指示する（ステップＳ３５）。暖房装置２１は、第１暖房運転の開始指示情報を受信すると第１暖房運転を開始する。図７に示すように、第２暖房運転の後に第１暖房運転が開始される。
【００６７】
上記の実施例における第１暖房運転が、第１暖房態様での暖房の一例であり、第２暖房運転が、第２暖房態様での暖房の一例である。
【００６８】
以上、実施例に係る暖房システム２について説明した。上記の説明から明らかなように、暖房システム２は、自然環境から吸熱して熱媒を加熱するヒートポンプユニット４と、燃料の燃焼によって熱媒を加熱する燃焼ユニット６と、熱媒の熱によって室内９２を暖房する暖房端末８を備えている。また、暖房システム２は、室内９２の温度を検知する温度センサ２４と、室内９２で寝ているユーザが起床したことを検知する人感センサ２５と、サーバ５１を備えている。この暖房システム２では、ヒートポンプユニット４のみで加熱した熱媒の熱によって暖房端末８が室内９２を暖房する第１暖房運転と、ヒートポンプユニット４と燃焼ユニット６の両方で加熱した熱媒の熱によって暖房端末８が室内９２を暖房する第２暖房運転を実行可能である。また、この暖房システム２は、プレ暖房運転および本暖房運転を実行するように構成されている。プレ暖房運転は、本暖房運転が開始される本暖房運転開始時刻より前の所定のプレ暖房運転開始時刻になると開始される。プレ暖房運転は、温度センサ２４によって検知される室内９２の温度が本暖房運転開始時刻に所定の目標暖房温度になるように暖房端末８が室内９２を暖房する運転である。本暖房運転は、温度センサ２４によって検知される室内９２の温度が所定の目標暖房温度になるように暖房端末８が室内９２を暖房する運転である。この暖房システム２では、サーバ５１が、プレ暖房運転が開始されるプレ暖房運転開始時刻になると第１暖房運転によるプレ暖房運転を実行し（ステップＳ１６、Ｓ１７参照）、プレ暖房運転開始時刻と本暖房運転開始時刻の間にユーザが起床したことを人感センサ２５が検知すると（ステップＳ１９、Ｓ３１参照）、温度センサ２４によって検知される室内９２の温度が所定の基準室内温度以上である場合は（ステップＳ３３参照）、第１暖房運転を継続し（ステップＳ３５参照）、温度検知手段によって検知される室内温度が所定の基準室内温度未満である場合は（ステップＳ３３参照）、第１暖房運転から第２暖房運転に切り替える（ステップＳ３４参照）。
【００６９】
プレ暖房運転開始時刻にプレ暖房運転が開始されたとしても、本暖房運転開始時刻の前では、室内９２がまだ十分に暖房されておらず、室内９２の温度がそれほど高くなっていない可能性がある。そのため、本暖房運転開始時刻より前にユーザが起床すると、ユーザが寒さを感じてしまう可能性がある。そこで、上記の暖房システム２では、ユーザが起床（活動）したことを人感センサ２５が検知すると、室内９２の温度が所定の基準室内温度未満である場合は、第１暖房運転に替えて第２暖房運転を開始する。第２暖房運転ではヒートポンプユニット４と燃焼ユニット６の両方で熱媒を加熱するので、室内９２を暖房するための熱量を多くすることができる。これによって、室内９２で寝ているユーザが本暖房運転開始時刻より前に起床したとしても、起床したユーザが寒さを感じないように室内９２の温度を高くすることができる。すなわち、ユーザが本暖房運転開始時刻の前に活動したとしても、ユーザが寒さを感じないように室内９２の温度を高くすることができる。一方、室内９２の温度が所定の基準室内温度以上である場合は、室内９２が既に十分に暖房されているので、第２暖房運転に切り替えなくても起床したユーザが寒さを感じるおそれが少ない。この場合は、第１暖房運転を継続することによって、ヒートポンプユニット４のみで熱媒を加熱することができ、エネルギー効率を高くすることができる。
【００７０】
また、上記の暖房システム２では、サーバ５１が、過去にユーザが起床したことを人感センサ２５が検知した時刻に基づいて起床予想時刻を演算し、演算した起床予想時刻を本暖房運転開始時刻とする。
【００７１】
この構成によれば、起床予想時刻に向けてプレ暖房運転で室内９２を暖房することができるので、起床したユーザが寒さを感じないようにすることができる。
【００７２】
また、サーバ５１が、本暖房運転開始時刻になると第１暖房運転による本暖房運転を実行し（ステップＳ１９、Ｓ２２参照）、本暖房運転開始時刻より後にユーザが起床したことを起床検知手段が検知すると（ステップＳ２４参照）、温度検知手段によって検知される室内９２の温度が所定の基準室内温度以上である場合は（ステップＳ３３参照）、第１暖房運転を継続し（ステップＳ３５参照）、温度検知手段によって検知される室内９２の温度が所定の基準室内温度未満である場合は（ステップＳ３３参照）、第１暖房運転から第２暖房運転に切り替える（ステップＳ３４参照）。
【００７３】
例えば、外気温度が予想以上に低くなった場合には、プレ暖房運転においてヒートポンプユニット４の加熱能力が不足してしまい、本暖房運転開始時刻になっても、室内９２の温度が目標暖房温度まで到達しない場合がある。このような場合でも、ユーザがいまだ起床しておらず、ユーザが室内９２で寝ている状況であれば、第１暖房運転を継続して、エネルギー効率を高めることが好ましい。その後、室内９２で寝ているユーザが本暖房運転開始時刻より後に起床した場合、上記の構成では、室内９２の温度が所定の基準室内温度未満である場合は、第１暖房運転に替えて第２暖房運転を開始する。これによって、起床したユーザが寒さを感じないように室内９２の温度を高くすることができる。また、ユーザが起床したときの室内９２の温度が所定の基準室内温度以上である場合は、第１暖房運転を継続することによって、エネルギー効率を高くすることができる。
【００７４】
また、サーバ５１が、第２暖房運転を開始した後に、温度センサ２４によって検知される室内９２の温度が所定の基準室内温度以上になった場合は（ステップＳ３３参照）、第２暖房運転に替えて第１暖房運転を開始する（ステップＳ３５参照）。
【００７５】
この構成によれば、第２暖房運転によって室内９２が十分に暖房された後には、第２暖房運転に替えて第１暖房運転を開始することによって、エネルギー効率を高くすることができる。
【００７６】
また、サーバ５１が、予想外気温度が所定の基準外気温度未満である場合は、プレ暖房運転を実行した後に本暖房運転を実行し、予想外気温度が所定の基準外気温度以上である場合は、プレ暖房運転を実行することなく本暖房運転を実行する（ステップＳ１４、Ｓ１７参照）。
【００７７】
予想外気温度が所定の基準外気温度未満である場合は、室内温度が低いことが予想されるので、プレ暖房運転によって室内９２を暖房することが望ましい。よって、この場合はプレ暖房運転を実行した後に本暖房運転を実行することによって、起床したユーザが寒さを感じないようにすることができる。一方、予想外気温度が所定の基準外気温度以上である場合は、室内９２の温度がそれほど低くないことが予想されるので、プレ暖房運転によって室内９２を暖房する必要性が低くなる。よって、この場合はプレ暖房運転を実行することなく本暖房運転を実行することによって、エネルギー消費を抑制することができる。
【００７８】
以上、一実施例について説明したが、具体的な態様は上記実施例に限定されるものではない。以下の説明において、上述の説明における構成と同様の構成については、同一の符号を付して説明を省略する。
【００７９】
上記の実施例では、制御手段の一例としてサーバ５１について説明したが、この構成に限定されるものではなく、制御手段の他の例としては、例えば、リモコン２２、ＨＥＭＳコントローラ２６、または、暖房装置２１のコントローラ１２が挙げられる。リモコン２２、ＨＥＭＳコントローラ２６、または、コントローラ１２が上述した暖房運転処理を実行してもよい。
【００８０】
また、室内９２で寝ている人が起床したことを検知する起床検知手段の構成は特に限定されるものではない。
【００８１】
また、暖房装置２１の暖房端末８が床暖房機である場合は、室内９２の温度は床面の温度であってもよい。また、温度センサ２４がリモコン２２に備えられていてもよい。
【００８２】
また、サーバ５１が、ユーザが起床したことを人感センサ２５が検知した時刻を蓄積して記憶してもよい。例えば、サーバ５１が過去１ヶ月間にわたる時刻情報を蓄積してもよい。
【００８３】
上記の実施例では、ステップＳ１４で予想外気温度が基準外気温度未満である場合にプレ暖房運転が実行され、予想外気温度が基準外気温度以上である場合はプレ暖房運転が実行されない構成であったが、この構成に限定されるものではない。他の実施例では、予想外気温度にかかわらず常にプレ暖房運転が実行される構成であってもよい。
【００８４】
上記の実施例では、ステップＳ３１、Ｓ３２、Ｓ３３の後のステップＳ３４で第２暖房運転を開始する際に本暖房運転が開始されるとして説明したが、この構成に限定されるものではない、他の実施例では、プレ暖房運転が終了して本暖房運転が開始されるのではなく、プレ暖房運転の中において第１暖房運転から第２暖房運転に切り替わる構成であってもよい。また、上記の実施例では、ステップＳ３１、Ｓ３２、Ｓ３３の後のステップＳ３５で第１暖房運転を開始する際に本暖房運転が開始されるとして説明したが、この構成に限定されるものではない。他の実施例では、プレ暖房運転が終了して本暖房運転が開始されるのではなく、プレ暖房運転の中において第１暖房運転が継続される構成であってもよい。
【００８５】
上記の実施例では、人感センサ２５が、室内９２で寝ているユーザが起床したことを検知し、暖房装置２１が、ユーザが寝起きする室内９２を暖房する構成であった。しかしながら、この構成に限定されるものではない。他の実施例では、人感センサ２５が、室内９２とは別の部屋の室内に配置されており、別の部屋の室内で寝ているユーザが起床したことを検知する構成であってもよい。すなわち、人感センサ２５によって検知されるユーザが寝起きする室内と、暖房装置２１が暖房する室内９２とが異なっていてもよい。例えば、ユーザが寝起きする室内が寝室内であり、暖房装置２１が暖房する室内９２がリビング内であってもよい。この構成では、サーバ５１が、プレ暖房運転開始時刻になると第１暖房運転によるプレ暖房運転を実行し、プレ暖房運転開始時刻と本暖房運転開始時刻の間に、室内９２とは別の部屋の室内で寝ているユーザが起床したことを人感センサ２５が検知すると、温度センサ２４によって検知される室内９２（ユーザが寝起きする室内とは別の室内９２）の温度が所定の基準室内温度以上である場合は、第１暖房運転を継続し、温度センサ２４によって検知される室内９２の温度が所定の基準室内温度未満である場合は、第１暖房運転から第２暖房運転に切り替える。
【００８６】
この構成によれば、暖房装置２１が暖房する室内９２とは別の部屋の室内で寝ているユーザが本暖房運転開始時刻の前に起床して、暖房装置２１が暖房する室内９２に移動したとしても、ユーザが寒さを感じないように室内９２の温度を高くすることができる。すなわち、ユーザが本暖房運転開始時刻の前に活動したとしても、ユーザが寒さを感じないように室内９２の温度を高くすることができる。
【００８７】
上記の実施例では、第２暖房運転は、ヒートポンプユニット４と燃焼ユニット６の両方で加熱した熱媒の熱によって暖房端末８が室内９２を暖房する運転であった。しかしながら、この構成に限定されるものではない。他の実施例では、第２暖房運転は、燃焼ユニット６のみで加熱した熱媒の熱によって暖房端末８が室内９２を暖房する運転であってもよい。この場合における燃焼ユニット６の加熱能力は、ヒートポンプユニット４の加熱能力より大きい。加熱能力は、例えば、単位時間あたりに熱媒に与えることができる熱量に基づいて求めることができる。
【００８８】
上記の実施例では、人感センサ２５が、室内９２で寝ているユーザが起床したことを検知する構成であった。しかしながら、この構成に限定されるものではない。他の実施例では、人感センサ２５が、外出しているユーザが帰宅したことを検知する構成であってもよい。人感センサ２５は、ユーザが帰宅したことを検知することによって、ユーザが活動したことを検知することができる。ユーザが帰宅していない場合は、ユーザが活動していないと判断することができる。人感センサ２５は、外出しているユーザが帰宅したことを検知する帰宅検知手段の一例である。帰宅検知手段は、活動検知手段の一例である。
【００８９】
上記の実施例では、サーバ５１が、過去にユーザが起床したことを起床検知手段（例えば人感センサ２５）が検知した時刻に基づいて起床予想時刻を演算し、演算した起床予想時刻を本暖房運転開始時刻としていたが、この構成に限定されるものではない。活動検知手段として帰宅検知手段を用いる場合には、他の構成であってもよい。この場合には、サーバ５１が、過去にユーザが帰宅したことを帰宅検知手段（人感センサ２５）が検知した時刻に基づいて帰宅予想時刻を演算し、演算した帰宅予想時刻を本暖房運転開始時刻としてもよい。
【００９０】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９１】
２      ：暖房システム
４      ：ヒートポンプユニット
６      ：燃焼ユニット
８      ：暖房端末
２１    ：暖房装置
２２    ：リモコン
２３    ：ホームゲートウェイ
２４    ：温度センサ
２５    ：人感センサ
２６    ：ＨＥＭＳコントローラ
３６    ：ガス燃焼器
４２    ：送風ファン
４４    ：熱媒温度センサ
５１    ：サーバ
９１    ：自宅
９２    ：室内
１０１  ：インターネット
【図１】
2019049383.tif 000003
【図２】
2019049383.tif 000004
【図３】
2019049383.tif 000005
【図４】
2019049383.tif 000006
【図５】
2019049383.tif 000007
【図６】
2019049383.tif 000008
【図７】
2019049383.tif 000009